(57)【要約】      （修正有）【課題】寝衣の着脱を簡単かつ容易に行えるようにし、介護者の着せ替え作業による負担を軽減し得る介護用寝衣を提供する。【解決手段】寝衣本体１の一方の袖部１０の袖口部の端部から一方の前身頃１３の胸部１３ａ側の縁部までの間、及び他方の袖部１１の袖口部の端部から他方の前身頃１４の胸部１４ａ側の縁部までの間の部位を全体的に展開可能に開閉する第１の開閉部２及び第２の開閉部３と、両開閉部にそれぞれ設けたスライドファスナー４、４とを備える。両開閉部を前記ファスナーにより、それぞれ係脱自在に係着する。【選択図】図１
0003200215.tif 000002
【実用新案登録請求の範囲】
【請求項１】
要介護者が着用する介護用寝衣であって、
寝衣本体の一方の袖部の袖口部の端部から一方の前身頃の胸部側の縁部までの間の部位を全体的に展開可能に開閉する第１の開閉部と、
前記寝衣本体の他方の袖部の袖口部の端部から他方の前身頃の胸部側の縁部までの間の部位を全体的に展開可能に開閉する第２の開閉部と、
前記両開閉部にそれぞれ設けたスライドファスナーとを備え、
前記両開閉部を前記ファスナーにより、それぞれ係脱自在に係着してなることを特徴とする介護用寝衣。
【請求項２】
請求項１に記載の介護用寝衣において、
前記両開閉部を前記ファスナーで前記胸部側から袖口部側方向へ開けるように構成したことを特徴とする介護用寝衣。
【請求項３】
請求項１に記載の介護用寝衣において、
前記両開閉部を前記ファスナーで前記袖口部側から胸部側方向へ開けるように構成したことを特徴とする介護用寝衣。
【考案の詳細な説明】
【技術分野】
【０００１】
本考案は、要介護者が着用する介護用寝衣に関する。特に、着脱を容易に行なえるようにした介護用寝衣に関する。
【背景技術】
【０００２】
介護用寝衣は、寝衣の着替えに際して介護者が要介護者（被介護者）に容易に着脱させ得るように構成することが好ましい。
【０００３】
従来、介護用寝衣として、例えば、前身頃等の合わせ部（前立て部）にマジックファスナー（登録商標）等の面ファスナーを取付けて、合わせ部を開閉自在に係着し得るように構成した寝衣（先行例１）が一般に知られている。
【０００４】
また、特許文献１には、寝衣本体の前身頃の合わせ部にスライドファスナーを取付け、前記ファスナーにより合わせ部を開閉自在に構成した寝衣（先行例２）が開示されている。
【先行技術文献】
【特許文献】
【０００５】
【特許文献１】特開２０００−３４６０６号公報
【考案の概要】
【考案が解決しようとする課題】
【０００６】
上述した先行例１の寝衣によれば、面ファスナーにより合わせ部等を開閉自在に係着するように構成してあるので、寝衣の着脱が容易になる。そのため、寝衣の着せ替え作業による介護者の負担を軽減することができる。
【０００７】
しかし、先行例１は、面ファスナーを採用しているため、寝衣を洗濯する際等に、面ファスナーに糸くずやゴミ等が付着する。面ファスナーに糸くずやゴミ等が付着すると、面ファスナーの係着機能が低下する問題が生じると共に外観上も好ましくない問題を有している。
【０００８】
一方、先行例２は、スライドファスナーを採用しているので、先行例２によれば、先行例１の有する上述した問題は解消される。
【０００９】
しかし、先行例２は、寝衣本体の左右の前身頃の合わせ部に前記ファスナーを取り付けたもので、前身頃の開閉は容易になるが、両袖部は従来の浴衣タイプの寝衣と同様に構成され、改良が加えられていない。したがって、介護者による寝衣の着せ替え作業が煩雑になり、手間が掛る問題を有している。
【００１０】
本考案は上記のような実情に鑑み、上述した先行例１及び２の有する問題を解消し、寝衣の着脱を円滑かつ容易に行なえるようにし、もって、介護者による寝衣の着せ替え作業による負担を軽減し得る介護用寝衣を提供することを目的とするものである。
【課題を解決するための手段】
【００１１】
上記目的を達成するため、本考案のうち、１つの考案（第１の考案）は、要介護者が着用する介護用寝衣であって、
寝衣本体の一方の袖部の袖口部の端部から一方の前身頃の胸部側の縁部までの間の部位を全体的に展開可能に開閉する第１の開閉部と、
前記寝衣本体の他方の袖部の袖口部の端部から他方の前身頃の胸部側の縁部までの間の部位を全体的に展開可能に開閉する第２の開閉部と、
前記両開閉部にそれぞれ設けたスライドファスナーとを備え、
前記両開閉部を前記ファスナーにより、それぞれ係脱自在に係着してなることを特徴とするものである。
【００１２】
上記のように構成すると、スライドファスナーを操作して前記開閉部を開くことにより、両袖部の袖口部の端部から両前身頃の胸部側の縁部までの間は展開可能になっているので、平面状に拡げることができる。また、左右の前身頃も平面状に拡げることができる。このように、寝衣全体を平面状に展開して拡げることができる。
【００１３】
したがって、寝衣を着せ替えする際に、上記のように寝衣全体を拡げた状態（展開した状態）で、要介護者を寝衣上に寝かせ、前記ファスナーを操作して前記両開閉部を閉じると共に両前身頃を閉じ合わせることにより寝衣を要介護者に装着させることができる。
【００１４】
また、寝衣を脱がす際には、上記したように、ファスナーを操作して両開閉部を開くと共に両前身頃を左右に開くことにより、簡単に脱がすことができる。
【００１５】
本考案の他の１つの考案（第２の考案）は、第１の考案の介護用寝衣において、前記両開閉部を前記ファスナーで前記胸部側から袖口部側方向へ開けるように構成したことを特徴とする。
【００１６】
本考案のさらに他の１つの考案（第３の考案）は、第１の考案の介護用寝衣において、前記両開閉部を前記ファスナーで前記袖口部側から胸部側方向へ開けるように構成したことを特徴とする。
【考案の効果】
【００１７】
本考案によれば、次のような作用効果を奏する。
（１）寝衣を簡単かつ円滑良好に着脱することができる。
（２）上記（１）により、介護者による寝衣の着せ替え作業による負担を大巾に軽減することができる。
（３）前記開閉部はスライドファスナーで開閉自在に係着するように構成したので、面ファスナーを採用した場合における上述した問題を解消することができる。
（４）第２の考案によれば、上記諸効果に加え、例えば、体温を測定する場合においては、いずれか一方の開閉部の胸部近くだけを開くことにより、体温計を所望部へ挿入することができる。
【図面の簡単な説明】
【００１８】
【図１】本考案の一実施形態の介護用寝衣の構成を概略的に示す説明正面図である。
【図２】図１の介護用寝衣の一部を拡大し、その構成を概略的に示す説明正面図である。
【図３】図１の介護用寝衣の両開閉部を開いて展開する状態を示す説明正面図である。
【図４】図１の介護用寝衣の一方の袖部の一部を拡大し、開閉部を閉じた状態を示す説明正面図である。
【図５】図１の介護用寝衣の一方の袖部の開閉部の袖口部側を拡大し、スライドファスナーの一方のファスナー構成部に設けた差込具を開閉具（スライダー）に差し込む直前の状態を示す説明図である。
【図６】本考案の他の実施形態の介護用寝衣の構成を概略的に示す説明正面図である。
【図７】図６の介護用寝衣の符号Ａで示す部位を拡大し、その構成を概略的に示す説明正面図である。
【考案を実施するための形態】
【００１９】
以下、図面を参照して本考案の介護用寝衣の実施形態の一例について説明する。
【００２０】
図１ないし図５は、本考案の一実施形態（実施形態１）の介護用寝衣を示す。
【００２１】
図１ないし図５に示すように、本実施形態（実施形態１）の介護用寝衣１００は、寝衣本体１と、寝衣本体１に形成した第１の開閉部２及び第２の開閉部３と、両開閉部２及び３にそれぞれ設けたスライドファスナー４、４とを備える。
【００２２】
本実施形態の寝衣本体１は、いわゆる浴衣タイプ状に形成され、左右の袖部１０、１１と、後身頃部１２と、左右の身頃部１３、１４とを備える。本実施形態の寝衣本体１は裏地（総裏）としてガーゼを採用している。この場合、ガーゼ以外の裏地を採用できること勿論である。
【００２３】
第１の開閉部２は、寝衣本体１の一方の袖部１０（図示では右側の袖部）の袖口部１０ａの端部から一方の前身頃１３（図示では右前身頃）の胸元部近くの胸部１３ａ側の縁部までの間の部位を全体的に展開可能になるように形成して設けられている。前記第１の開閉部２は、例えば、寝衣本体１の前記部位全体を直線状に裁断する等により形成できる。これにより、前記部位は図３等に示すように、全体的に展開可能、即ち、同図において上下方向に平面状に拡げ得るように形成されている。
【００２４】
第２の開閉部３は、寝衣本体１の他方の袖部１１（図示では左側の袖部）の袖口部１１ａの端部から他方の前身頃１４（図示では左前身頃）の胸元部近くの胸部１４ａ側の縁部までの間の部位を全体的に展開可能になるように形成して設けられている。第２の開閉部３も第１の開閉部と同様に寝衣本体１の前記部位全体を直線状に裁断する等により形成できる。
【００２５】
前記両ファスナー４、４は両開閉部２、３に設け、両開閉部を開閉自在（係脱自在）に係着するものである。本実施形態では、両開閉部２、３を前記ファスナーで前記胸部側から袖口部側方向へ開けるように構成されている。
【００２６】
両ファスナー４、４は分離可能な一対のファスナー構成部４ａ、４ｂ（図４、図５参照）で構成されている。
【００２７】
第１の開閉部２に設けるスライドファスナー４は、後端部側を袖口部１０ａ側に位置させると共に前端部側を胸部１３ａ側に位置させて、一方のファスナー構成部４ａを開閉部２の一方の縁部に沿わせて縫着等により取付ける。また、他方のファスナー構成部４ｂを開閉部２の他方の縁部に沿わせて縫着等により取付ける。さらにまた、ファスナー４の開閉具４０（スライダー）は、一方のファスナー構成部４ａに設ける。
【００２８】
具体的には、図３、図４に示すように、一方のファスナー構成部４ａの後端部に設けた止め具４１（ストッパー）を袖口部１０ａに位置させると共に前端部を胸部１３ａ側に位置させて、開閉部２の一方の縁部に沿わせて縫着等により固着して取付ける。また、他方のファスナー構成部４ｂの後端部に設けた差込具４２を袖口部１０ａに位置させると共に前端部を胸部側に位置させて、開閉部の他方の縁部に沿わせて縫着等により固着して取付ける。
【００２９】
上記により、図５に示すように、差込具４２を開閉具４０（スライダー）を通して止め具４１に差し込み、この状態で開閉具４０を胸部１３ａ側方向へスライドさせることにより、開閉部２はファスナー４により係脱自在（開閉自在）に係着して閉じられる。また、上記状態で開閉具４０を胸部側から袖口部方向へスライドさせることにより、ファスナー４の前記係着は解除されて開閉部２は開かれる。そして、差込具４２を止め具４１及び開閉具４０から抜き取ることにより、開閉部２は全て開かれて自由に展開して拡げることが可能になる。
【００３０】
次に、第２の開閉部３に設けるスライドファスナー４も、第１の開閉部２と同様に設ける。この場合、第２の開閉部のファスナー４は第１の開閉部のファスナー４と左右対称に取付けられる。これにより、第２の開閉部３も第１の開閉部２と全く同様に開閉及び展開させることができる。なお、図１において、５は着用時に使用する帯を示す。
【００３１】
実施形態１の介護用寝衣１００は上記のように構成したもので、次に実施形態１の介護用寝衣の作用効果等について説明する。
【００３２】
スライドファスナー４、４の開閉具４０をスライドして両開閉部２、３を開くことにより、両袖部１０、１１の袖口部の端部から両前身頃の胸部側の縁部までの間は全体的に展開可能になるので、平面状に拡げることができる。また、両前身頃１３、１４も平面状に拡げることができる。このように、寝衣全体を展開して平面状に拡げることができる。したがって、寝衣を着替えする際に、上記のように寝衣全体を拡げた状態で、要介護者を寝衣上に寝かせて、ファスナーを操作して両開閉部２、３を閉じると共に両身頃を閉じ合わせることにより、寝衣を要介護者に装着させることができる。
【００３３】
また、寝衣を脱がす際には、ファスナーを操作して両開閉部２、３を開くと共に両前身頃を左右に開くことにより、容易に脱がすことができる。
【００３４】
上記のように、寝衣を簡単かつ円滑良好に着脱することができる。したがって、例えば寝たきり高齢者や手足が不自由な患者であっても、無理なく簡単かつ容易に寝衣を着替えさせることができるので、寝衣の着せ替え作業による介護者の負担を大巾に軽減することができる。また、同時に要介護者の負担も軽減できる。
【００３５】
図６及び図７は本考案の他の実施形態（実施形態２）の介護用寝衣を示す。この実施形態２において、実施形態１で既に説明した構成と共通する構成部等には同一符号を付して説明を省略する。
【００３６】
実施形態２の介護用寝衣２００は、第１及び第２の開閉部２及び３を袖口部側から胸部側方向へ開けるようにした構成に特徴がある。
【００３７】
実施形態２の介護用寝衣２００は、第１の開閉部２に設けるスライドファスナー４を、後端部側を胸部１３ａ側に位置させると共に前端部側を袖口部１０ａ側に位置させて、一方のファスナー構成部４ａを開閉部２の一方の縁部に沿わせて縫着等により取付けてある。
また、他方のファスナー構成部４ｂを開閉部２の他方の縁部に沿わせて縫着等により取付けてある。
【００３８】
また、第２の開閉部３に設けるスライドファスナー４も、第１の開閉部と同様に取付けてある。
【００３９】
そして、実施形態２にでは、上記により、両開閉部２、３を袖口部側から胸部側方向へ開けるように構成してある。他の構成は実施形態１と同様である。
【００４０】
実施形態２の介護用寝衣２００は上記のように構成し、実施形態１と同様に操作して要介護者に着用するものである。これにより、実施形態１と同様の作用効果を奏する。
【００４１】
なお、上記した各実施形態は一例として開示したもので、本考案は上記実施形態に限定されるものではなく、実用新案登録請求の範囲に記載の技術思想を越脱しない範囲内において任意に変更可能なものである。
【符号の説明】
【００４２】
１        寝衣本体
２        第１の開閉部
３        第２の開閉部
４        スライドファスナー
１０、１１        袖部
１０ａ、１１ａ    袖口部
１３、１４        前身頃
１３ａ、１４ａ    胸部
【図１】
0003200215.tif 000003
【図２】
0003200215.tif 000004
【図３】
0003200215.tif 000005
【図４】
0003200215.tif 000006
【図５】
0003200215.tif 000007
【図６】
0003200215.tif 000008
【図７】
0003200215.tif 000009